(57)【要約】【課題】  ネット巻取り装置が上方へずれ上がってしまうことを確実に防止でき、その上、丸形を呈する支柱だけでなく角形やその他の形状の支柱に対しても簡易に固定可能となるネット巻取り装置の固定構造を提供すること。【解決手段】  支柱１に取付具２を溶接固定し、この取付具２に着脱自在に固定可能な固定部３をネット巻取り装置Ａに設けて、この固定部３を取付具２に固定することで、支柱１にネット巻取り装置Ａを固定する構造とする。【選択図】      図３
2006020928.tif 000002
【特許請求の範囲】
【請求項１】
支柱に取付具を固定し、この取付具に着脱自在に固定可能な固定部をネット巻取り装置に設けて、この固定部を取付具に固定することで、支柱にネット巻取り装置を固定する構造としたことを特徴とするネット巻取り装置の固定構造。
【請求項２】
支柱に取付具を溶接固定し、この取付具に着脱自在に固定可能な固定部をネット巻取り装置に設けて、この固定部を取付具に固定することで、支柱にネット巻取り装置を固定する構造としたことを特徴とするネット巻取り装置の固定構造。
【請求項３】
前記固定部は、前記取付具に着脱自在に螺着固定する構造としたことを特徴とする請求項１，２のいずれか１項に記載のネット巻取り装置の固定構造。
【請求項４】
前記固定部を前記取付具に掛止する掛止部をこの固定部と取付具とのいずれか一方若しくは双方に設けると共に、前記固定部を前記取付具に螺着する螺着部をこの固定部と取付具とのいずれか一方若しくは双方に設けて、前記掛止部を掛止すると共に前記螺着部を螺着することで、固定部を取付具に固定する構造としたことを特徴とする請求項１〜３のいずれか１項に記載のネット巻取り装置の固定構造。
【請求項５】
前記取付具若しくは前記固定部に設けた掛止片を、固定部若しくは取付具に設けた掛止受にスライド挿入することで掛止し得る前記掛止部を構成し、この掛止部によって取付具に固定部が掛止られた状態で前記螺着部を螺着することで、固定部を取付具に固定する構造としたことを特徴とする請求項４記載のネット巻取り装置の固定構造。
【請求項６】
前記取付具若しくは前記固定部に設けた掛止片を、固定部若しくは取付具に設けた掛止受にこの掛止受の下方からスライド挿入することで掛止し得る前記掛止部を構成すると共に、掛止受にスライド挿入した掛止片はこの掛止受に対し上方へ抜け止め状態で掛止する構成とし、この掛止部によって取付具に固定部が掛止られた状態で前記螺着部を螺着することで、固定部を取付具に固定する構造としたことを特徴とする請求項４，５のいずれか１項に記載のネット巻取り装置の固定構造。
【発明の詳細な説明】
【技術分野】
【０００１】
本発明は、例えば、テニスやバレーボール用のネットを張設するための支柱に対して、ネット巻取り装置を固定する構造に関するものである。
【背景技術】
【０００２】
テニス等に用いるネットは、コート中央の左右両脇に立設した支柱間に張設される。また、どちらか一方の支柱にはネット巻取り装置が設けられていて、このネット巻取り装置でネットのワイヤーロープを巻取ることにより、二本の支柱間にネットを張設する仕組みになっている。
【０００３】
また、従来のネット巻取り装置としては、一般的に、支柱に内装されているタイプ（例えば、特許文献１参照。）と、支柱に外装固定されるタイプ（例えば、特許文献２参照。）との２タイプがあり、このうち支柱に外装固定されるタイプのものは、ネット巻取り装置の側部に支柱を抱持締付固定するアームやＵボルトによる固定装置部を備えていて、この固定装置部によって支柱に対し締付固定する構造である。
【０００４】
【特許文献１】特開２００２−２０４８４４号公報
【特許文献２】特開２００４−６５６５６号公報
【発明の開示】
【発明が解決しようとする課題】
【０００５】
しかし、支柱に外装固定されるタイプのネット巻取り装置の前記固定構造では、ネットを張設する際に巻取りによるテンションを上げすぎると（アームやＵボルトによる固定装置部の締付固定力をネットのテンションが上回ると）、ネット巻取り装置が支柱に沿って上方へずれ上がり、ネットが緩んでしまうことがあった。
【０００６】
本発明は、このような支柱に外装固定されるタイプのネット巻取り装置の従来の欠点を解決するためのもので、ネット巻取り装置が上方へずれ上がってしまうことを確実に防止でき、その上、丸形を呈する支柱だけでなく角形やその他の形状の支柱に対しても簡易に固定可能となる画期的なネット巻取り装置の固定構造を提供するものである。
【課題を解決するための手段】
【０００７】
添付図面を参照して本発明の要旨を説明する。
【０００８】
支柱１に取付具２を固定し、この取付具２に着脱自在に固定可能な固定部３をネット巻取り装置Ａに設けて、この固定部３を取付具２に固定することで、支柱１にネット巻取り装置Ａを固定する構造としたことを特徴とするネット巻取り装置の固定構造に係るものである。
【０００９】
また、支柱１に取付具２を溶接固定し、この取付具２に着脱自在に固定可能な固定部３をネット巻取り装置Ａに設けて、この固定部３を取付具２に固定することで、支柱１にネット巻取り装置Ａを固定する構造としたことを特徴とするネット巻取り装置の固定構造に係るものである。
【００１０】
また、前記固定部３は、前記取付具２に着脱自在に螺着固定する構造としたことを特徴とする請求項１，２のいずれか１項に記載のネット巻取り装置の固定構造に係るものである。
【００１１】
また、前記固定部３を前記取付具２に掛止する掛止部４をこの固定部３と取付具２とのいずれか一方若しくは双方に設けると共に、前記固定部３を前記取付具２に螺着する螺着部５をこの固定部３と取付具２とのいずれか一方若しくは双方に設けて、前記掛止部４を掛止すると共に前記螺着部５を螺着することで、固定部３を取付具２に固定する構造としたことを特徴とする請求項１〜３のいずれか１項に記載のネット巻取り装置の固定構造に係るものである。
【００１２】
また、前記取付具２若しくは前記固定部３に設けた掛止片４Ｂを、固定部３若しくは取付具２に設けた掛止受４Ａにスライド挿入することで掛止し得る前記掛止部４を構成し、この掛止部４によって取付具２に固定部３が掛止られた状態で前記螺着部５を螺着することで、固定部３を取付具２に固定する構造としたことを特徴とする請求項４記載のネット巻取り装置の固定構造に係るものである。
【００１３】
また、前記取付具２若しくは前記固定部３に設けた掛止片４Ｂを、固定部３若しくは取付具２に設けた掛止受４Ａにこの掛止受４Ａの下方からスライド挿入することで掛止し得る前記掛止部４を構成すると共に、掛止受４Ａにスライド挿入した掛止片４Ｂはこの掛止受４Ａに対し上方へ抜け止め状態で掛止する構成とし、この掛止部４によって取付具２に固定部３が掛止られた状態で前記螺着部５を螺着することで、固定部３を取付具２に固定する構造としたことを特徴とする請求項４，５のいずれか１項に記載のネット巻取り装置の固定構造に係るものである。
【発明の効果】
【００１４】
本発明は上述のように構成したから、取付具は支柱に対して確固に固定されているため、たとえネット巻取り装置の巻取りによって支柱間に張設するネットのテンションが上がりすぎても、この取付具に固定部を介して固定されたネット巻取り装置が支柱に対してずり上がるようなことはなく、しかも、この取付具は、例えば、一般的な丸形支柱以外の形状の支柱に対しても固定可能となる構造を採用することもできるため、どのような形状の支柱に対してもネット巻取り装置を固定可能となる構造を設計実現可能となり、また、従来構造と同様にネット巻取り装置を支柱（取付具）から取り外すことができるので、収納時等に便利となるなど、極めて実用性に秀れた画期的なネット巻取り装置の固定構造となる。
【００１５】
また、特に請求項２記載の発明においては、前記作用・効果に加えて、取付具を支柱に対して強固に溶接固定するため、支柱に対して取付具がずり上がり移動しない固定構造を簡易に設計実現可能となり、しかも、この溶接固定構造を採用することで、例えば、丸形，角形等どのような形状の支柱に対しても容易に固定可能な構造を簡易に設計実現可能となるなど、極めて実用性に秀れた画期的なネット巻取り装置の固定構造となる。
【００１６】
また、請求項３記載の発明においては、支柱（取付具）に対するネット巻取り装置（固定部）の着脱操作性に秀れた一層実用的なネット巻取り装置の固定構造となる。
【００１７】
また、請求項４記載の発明においては、掛止部の掛止作用と螺着部の螺着作用とによってネット巻取り装置（固定部）を支柱（取付具）に極めて強固に固定することができる上、支柱に対するネット巻取り装置の着脱操作性にも秀れるなど、一層実用的な構成のネット巻取り装置の固定構造となる。
【００１８】
また、請求項５記載の発明においては、支柱（取付具）に対するネット巻取り装置（固定部）の固定作業が極めて容易に行われる一層実用性に秀れた構成のネット巻取り装置の固定構造となる。
【００１９】
また、請求項６記載の発明においては、支柱（取付具）に対するネット巻取り装置（固定部）の固定作業が極めて容易に行われことになり、しかも、掛止部による掛止状態では固定部が取付具に対し上方へ抜け止め状態となるため、ネット張設のテンションが上がりすぎても、前記抜け止め作用と螺着部の螺着作用とがネット巻取り装置を上方へ引っ張る力に対して極めて強い抵抗力を発揮し、ネット巻取り装置のずり上がりが確実に阻止されることになるなど、一層実用性に秀れた構成のネット巻取り装置の固定構造となる。
【発明を実施するための最良の形態】
【００２０】
好適と考える本発明の実施形態（発明をどのように実施するか）を、図面に基づいて本発明の作用を示して簡単に説明する。
【００２１】
取付具２を支柱１に固定（例えば、溶接固定）する。
【００２２】
この支柱１に固定した取付具２に、ネット巻取り装置Ａに設けた固定部３を固定することで、支柱１にネット巻取り装置Ａを固定できる。
【００２３】
ネット巻取り装置Ａを固定した支柱１を少なくとも一本使用し、二本の支柱１間にネット６を装着すると共に、ネット６のワイヤーロープ７をネット巻取り装置Ａで巻取ることで二本の支柱１間にネット６を張設することができる。
【００２４】
この際、取付具２が支柱１に強固に固定されているため、たとえネット巻取り装置Ａの巻取りによってネット６のテンションが上がりすぎても、この取付具２に固定部３を介して固定されたネット巻取り装置Ａが支柱１に対してずり上がることはない。
【００２５】
また、ネット巻取り装置Ａは、支柱１（取付具２）から取り外すことができ、例えば、支柱１を収納する際に支柱１からネット巻取り装置Ａを取り外しておけば、かさばらず、便利となる。
【００２６】
また、この種の支柱１としては丸形を呈するものが主流であるが、背景技術で示した特許文献２のようなネット巻取り装置の固定構造の場合、丸形支柱以外の例えば角形支柱に対してネット巻取り装置を固定しようとすると、角形のアームやコ字形ボルトが必要になる。即ち、特許文献２のような従来の固定構造では、支柱の形に対応する形のアーム或いはボルトを備えたものを別個に用意しないと丸形以外の形の支柱にネット巻取り装置を固定することができない。しかし、本発明の場合、取付具２の固定構造として例えば溶接などの固定構造を採用することにより、丸形支柱１や角形支柱１はもちろん、これ以外のどのような形状の支柱１に対しても簡単に固定可能となる。即ち、取付具２の固定構造の選定により、使用する支柱１の形を問わずにネット巻取り装置Ａを固定できる構造を実現可能となり、非常に汎用性が高い。
【００２７】
また、例えば、前記固定部３は、前記取付具２に着脱自在に螺着固定する構造とすれば、固定部３と取付具２との固定・解除を螺着脱操作によって行えるので、支柱１に対するネット巻取り装置Ａの着脱操作性に秀れ、一層実用的となる。
【００２８】
また、例えば、前記固定部３を前記取付具２に掛止する掛止部４をこの固定部３と取付具２とのいずれか一方若しくは双方に設けると共に、前記固定部３を前記取付具２に螺着する螺着部５をこの固定部３と取付具２とのいずれか一方若しくは双方に設けて、前記掛止部４を掛止すると共に前記螺着部５を螺着することで、固定部３を取付具２に固定する構造とすれば、掛止部４と螺着部５とによって固定部３（ネット巻取り装置Ａ）を取付具２（支柱１）に極めて強固に固定することができる上、掛止部４を掛止・掛脱する操作と螺着部５を螺着・螺脱する操作とを行うだけで、支柱１に対するネット巻取り装置Ａの着脱操作を行えるので、この着脱操作を容易に行うことができる。
【００２９】
また、前記取付具２若しくは前記固定部３に設けた掛止片４Ｂを、固定部３若しくは取付具２に設けた掛止受４Ａにスライド挿入することで掛止し得る前記掛止部４を構成し、この掛止部４によって取付具２に固定部３が掛止られた状態で前記螺着部５を螺着することで、固定部３を取付具２に固定する構造とすれば、単に、掛止片４Ｂを掛止受４Ａにスライド挿入するだけで取付具２に対し前記固定部３を掛止状態にでき、この掛止状態で螺着操作を行うだけで固定操作が完了するため、支柱１に対するネット巻取り装置Ａの固定作業性に秀れる。
【００３０】
また、例えば、前記取付具２若しくは前記固定部３に設けた掛止片４Ｂを、固定部３若しくは取付具２に設けた掛止受４Ａにこの掛止受４Ａの下方からスライド挿入することで掛止し得る前記掛止部４を構成すると共に、掛止受４Ａにスライド挿入した掛止片４Ｂはこの掛止受４Ａに対し上方へ抜け止め状態で掛止する構成とし、この掛止部４によって取付具２に固定部３が掛止られた状態で前記螺着部５を螺着することで、固定部３を取付具２に固定する構造とすれば、単に、掛止片４Ｂを掛止受４Ａにスライド挿入するだけで取付具２に対し前記固定部３を掛止状態にでき、この掛止状態で螺着操作を行うだけで固定操作が完了するため、支柱１に対するネット巻取り装置Ａの固定作業性に秀れ、しかも、掛止部４による掛止状態では固定部３が取付具２に対し上方へ抜け止め状態となるため、ネット６張設のテンションが上がりすぎても、前記抜け止め作用と螺着部５の螺着作用とがネット巻取り装置Ａを上方へ引っ張る力に対して極めて強い抵抗力を発揮することになり、これによりネット巻取り装置Ａのずり上がりが確実に阻止されることになる。
【実施例】
【００３１】
本発明の具体的な実施例について図面に基づいて説明する。
【００３２】
本実施例は、図１に示すように、支柱１に取付具２を溶接固定し、この取付具２に着脱自在に固定可能な固定部３をネット巻取り装置Ａに設けて、この固定部３を取付具２に固定することで、支柱１にネット巻取り装置Ａを固定する構造としている。
【００３３】
具体的には、取付具２は、図２，図３に示すように、長方形枠状を呈する板状体を採用すると共に、中央の方形状の孔縁の全縁を背面側へ突設して、この枠形突出片２Ａを利用して支柱１に溶接固定する構成としている。
【００３４】
また、この種の支柱１としては丸形を呈するものが主流であるが、本実施例では図２に示すように、丸形支柱１の湾曲した側面に対して、この取付具２が縦設状態（取付具２の長さ方向が上下方向となる状態）で当接し得るようにこの枠形突出片２Ａの全縁を丸形支柱１の側面に対応する形状に形成している。即ち、この枠形突出片２Ａの全縁を丸形支柱１の湾曲形状の側面に対して溶接固定し得るように構成している。図中符号10は溶接部である。
【００３５】
また、本実施例の取付具２は、角形の支柱１に対しても溶接固定できるように構成している。
【００３６】
具体的には、図２に示すように、前記枠形突出片２Ａのうち上枠片部20を、取付具２の横幅いっぱいに存するように両側を延設し、この上枠片部20の両側の延設部20Ａの夫々の端部分を平坦縁部に形成して、この両端の平坦縁部を角形支柱１の平坦形状の側面に対して溶接固定し得るように構成している（図６，図７参照。）。
【００３７】
この取付具２に着脱自在に固定可能な前記固定部３は、ネット巻取り装置Ａの背面側の側面部に設けている。
【００３８】
この取付具２と固定部３との固定構造は、固定部３を取付具２に掛止する掛止部４を固定部３と取付具２とのいずれか一方若しくは双方に設けると共に、固定部３を取付具２に螺着する螺着部５を固定部３と取付具２とのいずれか一方若しくは双方に設けて、前記掛止部４を掛止すると共に前記螺着部５を螺着することで、固定部３を取付具２に固定する構造としている。
【００３９】
掛止部４について説明すると、固定部３と取付具２との双方に設けている。
【００４０】
更に詳しくは、取付具２の、前記枠形突出片２Ａよりも左右外側に存する両側板面を掛止受４Ａとする一方、ネット巻取り装置Ａの背面部の固定部３の左右部に、前記左右の掛止受４Ａを両外側から抱き込むようにして掛止受４Ａの背面側板面に重合状態で掛止する掛止片４Ｂを一体的に突設して、掛止部４を構成している。
【００４１】
即ち、取付具２は、前記したように背面側に突出する枠形突出片２Ａを支柱１に対して溶接固定する構成としているため、溶接固定した取付具２の前記掛止受４Ａと、支柱１の側面との間には空隙部９が形成されることになる。本実施例では、この左右の空隙部９に前記掛止片４Ｂを配設することで掛止受４Ａに掛止片４Ｂを重合状態で掛止できる掛止部を構成している。
【００４２】
また、この掛止部４は、左右の掛止片４Ｂを左右の掛止受４Ａ背面側の空隙部９に対してスライド挿入することで掛止状態とし得るように構成している。
【００４３】
また、左右の掛止受４Ａの背面側に形成される空隙部９の上側には、前記上枠片部20の両側の延設部20Ａが存在するため、掛止片４Ｂを上方から左右の掛止受４Ａの背面側の空隙部９に挿入することはできず、空隙部９の下方から（取付具２の下方から）のみ掛止片４Ｂを空隙部９にスライド挿入して掛止状態にできる構成としている。
【００４４】
また、この掛止部４の掛止状態では、この上枠片部20の両側の延設部20Ａに上方へとスライドさせた前記掛止片４Ｂの上縁部が係止することでスライド上限となるように規制され、これにより固定部３が取付具２に対し上方へ抜け止め状態で掛止られるように構成している。
【００４５】
また、前記螺着部５について説明すると、固定部３と取付具２との双方に設けている。
【００４６】
更に詳しくは、取付具２の下部に螺子穴５Ａを形成する一方、前記掛止部４の掛止状態且つ掛止片４Ｂがスライド上限に達した状態でこの螺子穴５Ａに螺着する蝶螺子５Ｂを固定部３の下部に遊転自在に設けて、螺着部５を構成している。
【００４７】
即ち、掛止部４による掛止状態で、蝶螺子５Ｂを前記螺子穴５Ａに螺着することで、取付具２（支柱１）に対し固定部３（ネット巻取り装置Ａ）を固定できる構成としている。
【００４８】
従って、本実施例では、掛止部４による掛止作用と螺着部５による螺子止め作用とによって取付具２（支柱１）に固定部３（ネット巻取り装置Ａ）を強固に固定する構成としている。
【００４９】
また、取付具２に固定部３を固定することは、単に、掛止受４Ａ（の背面側の空隙部９）に対し掛止片４Ｂをスライド挿入して、蝶螺子５Ｂを螺子穴５Ａに螺着するだけの操作で行えるので、非常に固定作業性に秀れる。
【００５０】
このようにしてネット巻取り装置Ａを固定した支柱１を使用してネット６を張設するが（図５参照。）、このネット巻取り装置Ａの固定状態では、たとえ、ネット巻取り装置Ａの巻取りによって二本の支柱１間に張設したネット６のテンションが上がりすぎた場合であっても、ネット巻取り装置Ａが上方へ引っ張られる力に対して前記螺着部５による螺子止め作用と、前記掛止片４Ｂの上縁部が上枠片部２Ａの両側の延設部20Ａに当接係止することによるストッパ作用とが強く抗するため、従来構造のように取付具２に対して固定部３（ネット巻取り装置Ａ）が上方へずり上がってしまうことはなく、尚且つ取付具２は支柱１に対して強固に溶接固定しているために、この取付具２が支柱１に対して上方へずり上がってしまうこともない構成としている。
【００５１】
また、支柱１に固定したネット巻取り装置Ａは、蝶螺子５Ｂを緩めて螺子穴５Ａより螺脱させ、取付具２に対し固定部３を下方へスライド移動させることで掛止片４Ｂを掛止受４Ａから掛脱することで簡単に支柱１から取り外すことができる。
【００５２】
図中符号８はネット巻取り装置Ａに着脱自在に設けたハンドルである。
【００５３】
尚、本発明は、本実施例に限られるものではなく、各構成要件の具体的構成は適宜設計し得るものである。
【００５４】
例えば、本実施例では、取付具２を支柱１に対して溶接固定する構成を示したが、取付具２を支柱１に対して螺子止固定する構成としても良いし、その他の固定構造としても良い。
【図面の簡単な説明】
【００５５】
【図１】本実施例の使用状態（ネット巻取り装置の固定状態）を示す斜視図である。
【図２】本実施例の（丸形）支柱と取付具との分解斜視図である。
【図３】本実施例の取付具を溶接固定した（丸形）支柱と、ネット巻取り装置との分解斜視図である。
【図４】本実施例の使用状態（ネット巻取り装置の固定状態）を示す一部を切欠した平面図である。
【図５】本実施例のネットの完成状態を示す切欠説明図である。
【図６】本実施例の取付具を溶接固定した角形支柱と、ネット巻取り装置との分解斜視図である。
【図７】本実施例の角形支柱への使用状態（ネット巻取り装置の固定状態）を示す一部を切欠した平面図である。
【符号の説明】
【００５６】
１  支柱
２  取付具
３  固定部
４  掛止部
４Ａ  掛止受
４Ｂ  掛止片
５  螺着部
Ａ  ネット巻取り装置
【図１】
2006020928.tif 000003
【図２】
2006020928.tif 000004
【図３】
2006020928.tif 000005
【図４】
2006020928.tif 000006
【図５】
2006020928.tif 000007
【図６】
2006020928.tif 000008
【図７】
2006020928.tif 000009